(57)【要約】【課題】扉に取り付けられているいかなる材質の扉用ハンドルに対しても容易かつ簡易に装着できる扉用ハンドルカバーを提供する。【解決手段】扉用ハンドルカバー２０のカバー部２２が扉用ハンドル１０のハンドル把持部１０Ｂに対して装着されると、ハンドル把持部１０Ｂがカバー部２２で覆われた状態となる。このとき、ハンドル把持部１０Ｂは外部に露出していない。カバー部２２が絶縁性を備えた弾性部材で構成されているため、思わず身体がカバー部２２を介して扉用ハンドル１０のハンドル把持部１０Ｂに衝突しても、カバー部２２が弾性変形して衝撃力を吸収するため、身体に伝達される衝撃力を吸収緩和することができる。【選択図】      図４
2008223349.tif 000002
【特許請求の範囲】
【請求項１】
扉の扉面に対して直交方向に延在し軸回り回動することにより前記扉の開閉が可能なハンドル基部と、前記ハンドル基部の軸方向に対して直交方向に延在し任意の方向に回転することにより前記ハンドル基部を回動可能にするハンドル把持部と、を有する扉用ハンドル、
に対して装着される扉用ハンドルカバーであって、
前記ハンドル把持部に装着されて前記ハンドル把持部を覆うカバー部を有し、
前記カバー部は、絶縁性を備えた弾性部材で構成されていることを特徴とする扉用ハンドルカバー。
【請求項２】
前記カバー部には、前記カバー部の軸方向に延在し前記ハンドル把持部が圧入可能な孔部が形成されていることを特徴とする請求項１に記載の扉用ハンドルカバー。
【請求項３】
前記孔部は、前記カバー部の軸方向一方側に開口した開口端と、前記カバー部の軸方向他方側に閉塞した閉塞端を有し、
前記孔部の前記閉塞端と前記カバー部の軸方向他方側の端部との間には、衝撃力を吸収する緩衝部が形成されていることを特徴とする請求項２に記載の扉用ハンドルカバー。
【請求項４】
前記カバー部の外周面には、前記カバー部の周方向に亘って連続した溝部が形成されていることを特徴とする請求項１乃至３のいずれか１項に記載の扉用ハンドルカバー。
【請求項５】
前記孔部の径方向外側には、任意の圧力で把持されたときに弾性変形可能な厚肉部が形成されていることを特徴とする請求項２乃至４のいずれか１項に記載の扉用ハンドルカバー。
【発明の詳細な説明】
【技術分野】
【０００１】
本発明は、扉などに用いられている扉用ハンドルに取り付けられる扉用ハンドルカバーに関する。
【背景技術】
【０００２】
家屋、オフィスビルなどの建物の内部には、多くの扉が用いられており、その扉には、扉の開閉時に把持する丸型やＬ字型などの様々な形状の扉用ハンドル（ドアノブ）が取り付けられている。この扉用ハンドルは、アルミニウムなどの金属で構成されている。
【０００３】
この扉用ハンドルが金属で構成されていると、扉用ハンドルが比較的硬くなるため、扉用ハンドルに身体などを思わずぶつけたりすると、ぶつけた本人に対して不快感を与えるばかりか、扉用ハンドルが破損してしまうおそれがある。また、物品を硬い扉用ハンドルに思わず当ててしまうと、扉用ハンドル以外にも物品が破損するおそれもある。特に、家屋で用いられている扉用ハンドルの場合には、扉用ハンドルが取り付けられている位置がちょうど背の低い子供の頭部（あるいは顔面）の位置に対応するため、扉付近で遊んでいる子供の頭部（あるいは顔面）に扉用ハンドルが接触するおそれもある。
【０００４】
また、扉用ハンドルが金属で構成されていると、特に湿度の低い環境においては、扉用ハンドルを手で触ったときに、身体に蓄積された静電気が放電し、電気ショックを受けるという問題がある。
【０００５】
そこで、上記した問題を解決するために、把持する部位を絶縁性かつ弾性を備えた材質で構成した扉用ハンドルが知られている（下記特許文献１参照）。
【特許文献１】特開２００２−３０９８０８号公報
【発明の開示】
【発明が解決しようとする課題】
【０００６】
ところが、扉用ハンドルの把持する部位を絶縁性かつ弾性を備えた材質で構成すると、従来の扉用バンドルのように金属で一体形成することができなくなるので、扉用ハンドルの製造工程が増加し、また、絶縁性かつ弾性を備えた材質が必要になるため、扉用ハンドルの製造コストが上昇する問題が生じる。
【０００７】
また、建売住宅などの家屋では、既に扉に扉用ハンドルが取り付けられて売られているが、建売住宅などの家屋に用いられている扉用ハンドルはアルミニウムなどの金属で構成されているため、絶縁性かつ弾性を備えた材質の扉用ハンドルを欲する場合には、上記特許文献１に記載されているような扉用ハンドルに取り替える必要がある。扉用ハンドルを別のものと取り替える場合には、取替工数と費用が生ずる他に、扉用ハンドルを取り替える技術的な問題が生じることになる。
【０００８】
そこで、本発明は、上記事情を考慮し、扉に取り付けられているいかなる材質の扉用ハンドルに対しても容易かつ簡易に装着できる扉用ハンドルカバーを提供することを目的とする。
【０００９】
また、本発明は、上記事情を考慮し、容易かつ低コストで製造できる扉用ハンドルカバーを提供することを目的とする。
【課題を解決するための手段】
【００１０】
請求項１に記載の発明は、扉の扉面に対して直交方向に延在し軸回り回動することにより前記扉の開閉が可能なハンドル基部と、前記ハンドル基部の軸方向に対して直交方向に延在し任意の方向に回転することにより前記ハンドル基部を回動可能にするハンドル把持部と、を有する扉用ハンドル、に対して装着される扉用ハンドルカバーであって、前記ハンドル把持部に装着されて前記ハンドル把持部を覆うカバー部を有し、前記カバー部は、絶縁性を備えた弾性部材で構成されていることを特徴とする。
【００１１】
請求項２に記載の発明は、請求項１に記載の扉用ハンドルカバーにおいて、前記カバー部には、前記カバー部の軸方向に延在し前記ハンドル把持部が圧入可能な孔部が形成されていることを特徴とする。
【００１２】
請求項３に記載の発明は、請求項２に記載の扉用ハンドルカバーにおいて、前記孔部は、前記カバー部の軸方向一方側に開口した開口端と、前記カバー部の軸方向他方側に閉塞した閉塞端を有し、前記孔部の前記閉塞端と前記カバー部の軸方向他方側の端部との間には、衝撃力を吸収する緩衝部が形成されていることを特徴とする。
【００１３】
請求項４に記載の発明は、請求項１乃至３のいずれか１項に記載の扉用ハンドルカバーにおいて、前記カバー部の外周面には、前記カバー部の周方向に亘って連続した溝部が形成されていることを特徴とする。
【００１４】
請求項５に記載の発明は、請求項２乃至４のいずれか１項に記載の扉用ハンドルカバーにおいて、前記孔部の径方向外側には、任意の圧力で把持されたときに弾性変形可能な厚肉部が形成されていることを特徴とする。
【発明の効果】
【００１５】
請求項１に記載の発明によれば、扉用ハンドルカバーのカバー部が扉用ハンドルのハンドル把持部に対して装着される。これにより、扉用ハンドルのハンドル把持部が扉用ハンドルカバーのカバー部で覆われた状態となり、ハンドル把持部は外部に露出していない。ここで、カバー部が絶縁性を備えた弾性部材で構成されているため、思わず身体がカバー部を介して扉用ハンドルのハンドル把持部に衝突しても、カバー部が弾性変形して衝撃力を吸収するため、身体に伝達される衝撃力を緩和することができる。特に、扉用ハンドルは背の低い子供の頭部（あるいは顔面）に対応する位置に設けられているので、子供の頭部（あるいは顔面）がカバー部を介してハンドル把持部に接触した場合でも、カバー部でその衝撃力を吸収することができるため、頭部（あるいは顔面）に伝達される衝撃力を大幅に緩和することができる。さらに、扉用ハンドルが金属で構成されていても、ハンドル把持部が絶縁性のカバー部で覆われているため、扉の開閉時にカバー部に触れた場合に電気ショックを受けてしまうことがない。
【００１６】
ここで、本発明のさらに重要な作用及び効果として、金属で構成されている既存の扉用ハンドルに扉用ハンドルカバーを装着するだけで、上記した作用及び効果を得ることができる。すなわち、既存の扉用ハンドルが金属で構成されている場合でも、扉用ハンドルを取り替える必要なく、扉用ハンドルカバーを装着するだけで足りる。また、扉用ハンドルカバーを既存の全ての扉用ハンドルに装着させることができるため、扉用ハンドルを取り替えるための工数やコストが不要になる。さらに、扉用ハンドルのハンドル把持部が扉用ハンドルカバーのカバー部により覆われているため、ハンドル把持部の劣化を防止することができる。
【００１７】
請求項２に記載の発明によれば、カバー部にはカバー部の軸方向に延在しハンドル把持部が圧入可能な孔部が形成されているため、扉用ハンドルに扉用ハンドルカバーを装着する際には、カバー部の孔部にハンドル把持部を圧入させる。これにより、扉用ハンドルに扉用ハンドルカバーをワンタッチで簡易かつ容易に装着させることができる。また、カバー部の孔部にハンドル把持部が圧入されるので、扉用ハンドルカバーがハンドル把持部から不意に抜け落ちてしまうことを防止できる。
【００１８】
請求項３に記載の発明によれば、孔部の閉塞端とカバー部の軸方向他方側の端部との間には衝撃力を吸収する緩衝部が形成されているため、扉用ハンドルカバーのカバー部が扉用ハンドルのハンドル把持部に装着された状態では、ハンドル把持部の軸方向先端部の軸方向外側に緩衝部が位置することになる。これにより、ハンドル把持部にその軸方向からカバー部を介して身体が触れた場合には、緩衝部により衝撃力を吸収することができる。これにより、反作用で身体に伝達する衝撃力を大幅に緩和させることができる。特に、ハンドル把持部の先端部の径が細くなっている扉用ハンドルが用いられている場合には、反作用として身体に作用する圧力も高くなるが、緩衝部によりその圧力を大幅に軽減させることができる。
【００１９】
請求項４に記載の発明によれば、カバー部の外周面には、カバー部の周方向に亘って連続した溝部が形成されているため、カバー部を握り易くすることができる。
【００２０】
請求項５に記載の発明によれば、カバー部の孔部の径方向外側には、任意の圧力で把持されたときに弾性変形可能な厚肉部が形成されているため、任意の圧力以上の力でカバー部を把持すると、カバー部の厚肉部が弾性変形する。これにより、カバー部を握り易くするとともに、カバー部を把持したときの感触を向上させることができる。また、同時に、ハンドル把持部にカバー部を介してその軸方向と直交する方向から身体が触れた場合にも、厚肉部で衝撃力を吸収させることができるため、反作用として身体に伝達される衝撃力を緩和させることができる。
【発明を実施するための最良の形態】
【００２１】
次に、本発明の一実施形態に係る扉用ハンドルカバーについて、図面を参照して説明する。
【００２２】
先ず、本実施形態の扉用ハンドルカバーが装着される扉用ハンドルについて説明する。
【００２３】
図４及び図５に示すように、扉用ハンドルカバー２０（図１参照）が装着される扉用ハンドル１０は、扉１２の扉面１４に対して直交方向に延びるハンドル基部１０Ａと、ハンドル基部１０Ａの軸方向に対して直交方向に延在し扉１２の開閉時などに把持するハンドル把持部１０Ｂと、で構成されている。
【００２４】
ハンドル基部１０Ａは軸回りに回動可能に構成されており、ハンドル基部１０Ａを軸回りの一方側に回動させると、扉１２に取り付けられたロック（図示省略）が扉１２の内側に引っ込み、ハンドル基部１０Ａを軸回りの他方側に回動させると、ロック（図示省略）が扉１２の外側に突出する仕組みになっている。
【００２５】
また、ハンドル把持部１０Ｂは、ハンドル基部１０Ａと接続されており、ハンドル把持部１０Ｂを下方向に押圧するとハンドル基部１０Ａが軸回りの一方側に回動してロック（図示省略）が扉１２の内側に引っ込むことになる。一方、ハンドル把持部１０Ｂに対する下方向の押圧を解除すると、ハンドル把持部１０Ｂは元の位置に戻るとともに、ハンドル基部１０Ａが軸回りの他方側に回動してロック（図示省略）が扉１２の外側に突出することになる。この扉用ハンドル１０の操作は扉１２を開閉させるときに必要な操作であり、通常、扉用ハンドル１０は、背の低い子供の頭部（あるいは顔面）の位置に対応する位置に設けられている。
【００２６】
また、通常時（ハンドル把持部１０Ｂに圧力が作用していない状態）において、扉用ハンドル１０のハンドル把持部１０Ｂは、その軸方向が重力方向に対して垂直方向となる左右方向（図５中矢印Ａ方向）に一致するように、設定されている。
【００２７】
なお、扉用ハンドル１０のハンドル把持部１０Ｂは、金属などの硬質の部材で構成されている。
【００２８】
次に、上記した扉用ハンドル１０に装着される扉用ハンドルカバーについて説明する。
【００２９】
図１乃至図３に示すように、扉用ハンドルカバー２０は、円筒状のカバー部２２を備えている。カバー部２２には、カバー部２２の軸方向に沿って延びる孔部２４が形成されている。この孔部２４には、扉用ハンドル１０のハンドル把持部１０Ｂが圧入される。扉用ハンドル１０のハンドル把持部１０Ｂが孔部２４に圧入されると、ハンドル把持部１０Ｂがカバー部２２により覆われた状態になる。
【００３０】
ここで、孔部２４は、カバー部２２の軸方向一方側に開口した開口端２４Ａと、カバー部２２の軸方向他方側に閉塞した閉塞端２４Ｂを備えている。このように、本実施形態の孔部２４は、軸方向一方側が開口しており、軸方向他方側が閉塞された構成になっているが、例えば、孔部２４がカバー部２２の軸方向に貫通した構成（軸方向両側端部が開口した構成）になっていてもよい。
【００３１】
孔部２４の閉塞端２４Ｂとカバー部２２の軸方向他方側の端部との間には、衝撃力を吸収する緩衝部２６が形成されている。この緩衝部２６は、カバー部２２の軸方向に沿う肉厚が厚くなるように構成されている。このため、カバー部２２（ハンドル把持部１０Ｂ）の軸方向に対して圧力（衝撃力）が作用したときには、緩衝部２６が弾性変形（圧縮変形）することによりその圧力（衝撃力）を吸収緩和することができる。この結果、カバー部２２（ハンドル把持部１０Ｂ）の軸方向に対して身体や物品が当接した場合でも、その反作用として身体や物品に作用する圧力（衝撃力）を軽減させることができる。
【００３２】
また、孔部２４の外縁の径方向外側には、任意の圧力で把持されたときに弾性変形可能な厚肉部２８が形成されている。これにより、カバー部２２が任意の圧力以上で把持されると、厚肉部２８が弾性変形（圧縮変形）する。この結果、カバー部２２を握り易くするとともに、カバー部２２を把持したときの感触を向上させることができる。
【００３３】
また、カバー部２２の外周面には、カバー部２２の周方向に亘って連続した溝部３０が形成されている。この溝部３０は、カバー部２２の軸方向に沿って一定間隔をあけて複数形成されている。これにより、カバー部２２の外周面には、軸方向に沿って山部と谷部とが交互に繰り返されて形成されている。換言すれば、カバー部２２の外周面には、軸方向に沿って凸凹が繰り返し形成されている。この結果、カバー部２２を把持したときに、各溝部３０に指が入るため、カバー部２２が把持し易くなる。
【００３４】
ここで、扉用ハンドルカバー２０は、ゴム、発泡ゴム、合成樹脂などの絶縁性を備えた弾性部材で構成されている。特に、扉用ハンドルカバー２０は、柔軟性と弾力性に富むＥＶＡ（Ｅｔｈｙｌｅｎｅ−ＶｉｎｙｌＡｃｅｔａｔｅ、エチレン−酢酸ビニル共重合樹脂（熱可塑性合成樹脂））で構成されていることが好ましい。扉用ハンドルカバー２０の材質は、上記具体例の他に、弾性あるいは、弾性と絶縁性の両方を備えたものが好ましい。
【００３５】
次に、本実施形態の扉用ハンドルカバー２０の製造方法について説明する。
【００３６】
図７（Ａ）乃至（Ｃ）に示すように、外周面に周方向に亘って連続した溝部３４が軸方向にわたって複数形成された砥石３２を用意する。この砥石３２の外周面には、本実施形態の扉用ハンドルカバー２０の外周面の同じように、複数の凸凹が連続して形成されている。また、この砥石３２は、任意の回転速度で軸回りに回転可能となるように構成されている。
【００３７】
図７（Ａ）に示すように、砥石３２を回転させた状態で、円柱状（外周面に溝が形成されていない状態）の未完成扉用ハンドルカバー２１を砥石３２に近づけて接触させる。そして、未完成扉用ハンドルカバーが砥石３２に接触すると、未完成扉用ハンドルカバー２１を砥石３２とは反対方向に回転させる。
【００３８】
図７（Ｂ）に示すように、未完成扉用ハンドルカバー２１を砥石３２と反対方向に回転させると、未完成扉用ハンドルカバー２１の未完成カバー部２３の外周面には、砥石３２の凸部との摩擦により溝部３０が形成される。このように、未完成カバー部２３の外周面には、砥石３２の複数の凸部により複数の溝部３０が同時に形成される。
【００３９】
図７（Ｃ）に示すように、未完成カバー部２３の外周面に複数の溝部３０が形成されると、未完成扉用ハンドルカバー２１を砥石３２から離間させる。その後、未完成扉用ハンドルカバー２１の未完成カバー部２３に孔部２４が形成される。孔部２４は、例えば、ドリルなどの尖端状のもので加工されることにより形成される。このようにして、扉用ハンドルカバー２０が製造（完成）される。
【００４０】
ここで、扉用ハンドルカバー２０を型により形成することも可能であるが、上述した工程で製造することにより、扉用ハンドルカバー２０のカバー部２２の外周面に成型により生じる特有の膜が形成されることがないため、扉用ハンドルカバー２０のカバー部２２の外周面を把持したときの感触（感覚）を向上させることができる。
【００４１】
次に、本実施形態の扉用ハンドルカバー２０の作用及び効果について説明する。
【００４２】
図４及び図６に示すように、扉用ハンドル１０に対する扉用ハンドルカバー２０の取付方法として、ハンドル把持部１０Ｂをカバー部２２の孔部２４に圧入することによりワンタッチで容易かつ簡易に装着することができる。ハンドル把持部１０Ｂをカバー部２２の孔部２４に圧入するときに、カバー部２２をねじることによりさらに容易に扉用ハンドルカバー２０を装着することができる。なお、ハンドル把持部１０Ｂがカバー部２２の孔部２４に圧入されているため、扉用ハンドルカバー２０が扉用ハンドル１０から容易に抜け落ちてしまうことがない。
【００４３】
図５及び図６に示すように、扉用ハンドルカバー２０のカバー部２２が扉用ハンドル１０のハンドル把持部１０Ｂに対して装着されると、ハンドル把持部１０Ｂがカバー部２２で覆われた状態となる。このとき、ハンドル把持部１０Ｂは外部に露出していない。ここで、図１乃至図３に示すように、カバー部２２が絶縁性を備えた弾性部材で構成されているため、思わず身体がカバー部２２を介して扉用ハンドル１０のハンドル把持部１０Ｂに衝突しても、カバー部２２が弾性変形して衝撃力を吸収するため、身体に伝達される衝撃力を緩和することができる。特に、扉用ハンドル１０は背の低い子供の頭部（あるいは顔面）に対応する位置に設けられているので、子供の頭部（あるいは顔面）がカバー部２２を介してハンドル把持部１０Ｂに接触した場合でも、カバー部２２でその衝撃力を吸収することができるため、頭部（あるいは顔面）に伝達される衝撃力を大幅に緩和することができる。さらに、扉用ハンドル１０が金属で構成されていても、ハンドル把持部１０Ｂが絶縁性のカバー部２２で覆われているため、扉の開閉時にカバー部２２に触れた場合に電気ショックを受けてしまうことがない。
【００４４】
また、本実施形態の扉用ハンドルカバー２０の格別の効果として、既存の扉用ハンドル１０が金属で構成されている場合でも、扉用ハンドル１０を取り替える必要なく、扉用ハンドルカバー２０を装着するだけで上記効果を得ることができる。また、扉用ハンドルカバー２０を既存の全ての扉用ハンドル１０に装着させることができるため、扉用ハンドル１０を取り替えるための工数やコストが不要になる。さらに、扉用ハンドル１０のハンドル把持部１０Ｂが扉用ハンドルカバー２０のカバー部２２により覆われているため、ハンドル把持部１０Ｂの劣化を防止することができる。
【００４５】
また、図６に示すように、扉用ハンドルカバー２０のカバー部２２が扉用ハンドル１０のハンドル把持部１０Ｂに装着された状態では、ハンドル把持部１０Ｂの軸方向先端部の軸方向外側に緩衝部２６が位置することになるため、ハンドル把持部１０Ｂにその軸方向からカバー部２２を介して身体が触れた場合には、緩衝部２６によりその衝撃力を吸収することができる。これにより、反作用で身体に伝達する衝撃力を大幅に緩和させることができる。特に、ハンドル把持部１０Ｂの先端部の径が細くなっている扉用ハンドル１０が用いられている場合には、反作用として身体に作用する圧力が高くなるが、緩衝部２６によりその圧力を大幅に軽減させることができる。
【００４６】
また、図６に示すように、カバー部２２の孔部２４の径方向外側には厚肉部２８が形成されているため、任意の圧力以上の力でカバー部２２を把持すると、カバー部２２の厚肉部２８が弾性変形（圧縮変形）する。これにより、カバー部２２を握り易くするとともに、カバー部２２を把持したときの感触を向上させることができる。また、同時に、ハンドル把持部１０Ｂにカバー部２２を介してその軸方向と直交する方向から身体が触れた場合にも、厚肉部２８で衝撃力を吸収させることができるため、反作用として身体に伝達される衝撃力を緩和させることができる。
【図面の簡単な説明】
【００４７】
【図１】本発明の一実施形態に係る扉用ハンドルカバーの正面図である。
【図２】本発明の一実施形態に係る扉用ハンドルカバーの斜視図である。
【図３】本発明の一実施形態に係る扉用ハンドルカバーを軸方向に切断した断面図である。
【図４】本発明の一実施形態に係る扉用ハンドルカバーが扉用ハンドルに装着するときの工程図である。
【図５】本発明の一実施形態に係る扉用ハンドルカバーが扉用ハンドルに装着したときの状態図である。
【図６】本発明の一実施形態に係る扉用ハンドルカバーが扉用ハンドルに装着した状態で軸方向に切断した部分的な断面図である。
【図７】本発明の一実施形態に係る扉用ハンドルカバーの製造工程図である。
【符号の説明】
【００４８】
１０      扉用ハンドル
１０Ａ    ハンドル基部
１０Ｂ    ハンドル把持部
１２      扉
１４      扉面
２０      扉用ハンドルカバー
２２      カバー部
２４      孔部
２４Ａ    開口端
２４Ｂ    閉塞端
２６      緩衝部
２８      厚肉部
３０      溝部
【図１】
2008223349.tif 000003
【図２】
2008223349.tif 000004
【図３】
2008223349.tif 000005
【図４】
2008223349.tif 000006
【図５】
2008223349.tif 000007
【図６】
2008223349.tif 000008
【図７】
2008223349.tif 000009